【手続補正書】
【提出日】平成17年12月12日(2005.12.12)
【手続補正１】
【補正対象書類名】明細書
【補正対象項目名】発明の名称
【補正方法】変更
【補正の内容】
【発明の名称】撮像装置及びその制御方法、撮像装置のリモートシステム、リモートシステムのリモートコントロール方法、並びに制御プログラム
【手続補正２】
【補正対象書類名】明細書
【補正対象項目名】特許請求の範囲
【補正方法】変更
【補正の内容】
【特許請求の範囲】
【請求項１】  撮影光束をファインダ方向に反射させると共に、撮影時には撮影光束より退避するミラー手段と、撮影時に撮影光束が到達する撮像手段の露光時間を制御するシャッタ手段とを備えた撮像装置において、
画像転送指示時に、前記ミラー手段を撮影光束から退避すると共に、前記シャッタ手段を開放させて撮影光束を前記撮像手段に導き、該撮像手段に結像された被写体像を連続的に取り込む手段と、
前記連続的に取り込んだ画像を外部のコントロール装置に転送する手段とを備えたことを特徴とする撮像装置。
【請求項２】  前記画像転送指示時には、前記撮像手段によって自動焦点動作及び自動露出動作を行うことを特徴とする請求項１に記載の撮像装置。
【請求項３】  撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えた撮像装置のリモートシステムにおいて、
前記リモートコントロール装置は、
画像を表示するための表示手段と、
前記表示手段への被写体像の表示を指示する画像表示指示手段とを有し、
前記撮像装置は、
前記画像表示指示手段によって被写体像の表示が指示されたときに、前記ミラー手段を撮影光束から退避し、前記シャッタ手段を開放させて撮影光束を前記撮像手段に導くと共に、前記撮像手段に結像された被写体像を連続的に取り込む手段と、
前記連続的に取り込んだ画像を前記リモートコントロール装置に転送する手段とを有し、  前記リモートコントロール装置は、前記撮像装置から転送された画像を前記表示手段に順次表示することを特徴とする撮像装置のリモートシステム。
【請求項４】  前記被写体像の表示が指示されたときは、前記撮像手段によって自動焦点動作及び自動露出動作を行うことを特徴とする請求項３に記載の撮像装置のリモートシステム。
【請求項５】  前記リモートコントロール装置は、コンピュータ装置であることを特徴とする請求項３または４に記載の撮像装置のリモートシステム。
【請求項６】  撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法であって、
画像転送指示時に、前記ミラー手段を撮影光束から退避すると共に、前記シャッタ手段を開放させて撮影光束を前記撮像手段に導き、該撮像手段に結像された被写体像を連続的に取り込む工程と、
前記連続的に取り込んだ画像を外部のコントロール装置に転送する工程とを有することを特徴とする撮像装置の制御方法。
【請求項７】  撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えたリモートシステムのリモートコントロール方法であって、
前記リモートコントロール装置に、画像を表示するための表示手段と、前記表示手段への被写体像の表示を指示する画像表示指示手段とを設けておき、前記画像表示指示手段によって被写体像の表示が指示されたときに、前記ミラー手段を撮影光束から退避し、前記シャッタ手段を開放させて撮影光束を撮像手段に導くと共に、前記撮像手段に結像された被写体像を連続的に取り込む工程と、
前記連続的に取り込んだ画像を前記リモートコントロール装置に転送する工程とを実行し、前記撮像装置から転送された画像を前記リモートコントロール装置の前記表示手段に順次表示することを特徴とするリモートシステムのリモートコントロール方法。
【請求項８】  前記リモートコントロール装置は、コンピュータ装置であることを特徴とする請求項７に記載のリモートシステムのリモートコントロール方法。
【請求項９】  撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法を実行するために、コンピュータで読み取り可能な制御プログラムであって、
画像転送指示時に、前記ミラー手段を撮影光束から退避すると共に、前記シャッタ手段を開放させて撮影光束を前記撮像手段に導き、該撮像手段に結像された被写体像を連続的に取り込むステップと、
前記連続的に取り込んだ画像を外部のコントロール装置に転送するステップとを備えたことを特徴とする制御プログラム。
【手続補正３】
【補正対象書類名】明細書
【補正対象項目名】０００１
【補正方法】変更
【補正の内容】
【０００１】
【発明の属する技術分野】
本発明は、一眼レフタイプのデジタルカメラ等の撮像装置及びその制御方法、前記撮像装置のリモートシステム及び前記リモートシステムのリモートコントロール方法、並びに前記撮像装置の制御方法を実行するための制御プログラム
に関する。
【手続補正４】
【補正対象書類名】明細書
【補正対象項目名】０００８
【補正方法】変更
【補正の内容】
【０００８】
本発明は上記従来の問題点に鑑み、従来型のデジタル一眼レフカメラにおいて、リモートコントロール装置と通信を行いながらの撮影時に、リモートコントロール装置上で画像確認のための表示を可能にする撮像装置及びその制御方法、撮像装置のリモートシステム、リモートシステムのリモートコントロール方法、並びに制御プログラムを提供することを目的とする。
【手続補正５】
【補正対象書類名】明細書
【補正対象項目名】０００９
【補正方法】変更
【補正の内容】
【０００９】
【課題を解決するための手段】
上記目的を達成するために、本発明は、撮影光束をファインダ方向に反射させると共に、撮影時には撮影光束より退避するミラー手段と、撮影時に撮影光束が到達する撮像手段の露光時間を制御するシャッタ手段とを備えた撮像装置において、画像転送指示時に、前記ミラー手段を撮影光束から退避すると共に、前記シャッタ手段を開放させて撮影光束を前記撮像手段に導き、該撮像手段に結像された被写体像を連続的に取り込む手段と、前記連続的に取り込んだ画像を外部のコントロール装置に転送する手段とを備えたことを特徴とする。
また、本発明は、撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えた撮像装置のリモートシステムにおいて、前記リモートコントロール装置は、画像を表示するための表示手段と、前記表示手段への被写体像の表示を指示する画像表示指示手段とを有し、前記撮像装置は、前記画像表示指示手段によって被写体像の表示が指示されたときに、前記ミラー手段を撮影光束から退避し、前記シャッタ手段を開放させて撮影光束を前記撮像手段に導くと共に、前記撮像手段に結像された被写体像を連続的に取り込む手段と、前記連続的に取り込んだ画像を前記リモートコントロール装置に転送する手段とを有し、  前記リモートコントロール装置は、前記撮像装置から転送された画像を前記表示手段に順次表示することを特徴とする。
また、本発明は、撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法であって、画像転送指示時に、前記ミラー手段を撮影光束から退避すると共に、前記シャッタ手段を開放させて撮影光束を前記撮像手段に導き、該撮像手段に結像された被写体像を連続的に取り込む工程と、前記連続的に取り込んだ画像を外部のコントロール装置に転送する工程とを有することを特徴とする。
また、本発明は、撮影光束をファインダ方向に反射させると共に、撮影時には撮影光束より退避するミラー手段と、撮影時に撮影光束が到達する撮像手段の露光時間を制御するシャッタ手段とを有する撮像装置と、前記撮像装置のリモートコントロールが可能なリモートコントロール装置とを備えたリモートシステムのリモートコントロール方法であって、前記リモートコントロール装置に、画像を表示するための表示手段と、前記表示手段への被写体像の表示を指示する画像表示指示手段とを設けておき、前記画像表示指示手段によって被写体像の表示が指示されたときに、前記ミラー手段を撮影光束から退避し、前記シャッタ手段を開放させて撮影光束を撮像手段に導くと共に、前記撮像手段に結像された被写体像を連続的に取り込む工程と、前記連続的に取り込んだ画像を前記リモートコントロール装置に転送する工程とを実行し、前記撮像装置から転送された画像を前記リモートコントロール装置の前記表示手段に順次表示することを特徴とする。
また、本発明は、撮影光束をファインダ方向に反射させると共に、撮影時には撮影光束より退避するミラー手段と、撮影時に撮影光束が到達する撮像手段の露光時間を制御するシャッタ手段とを備えた撮像装置の制御方法を実行するために、コンピュータで読み取り可能な制御プログラムであって、画像転送指示時に、前記ミラー手段を撮影光束から退避すると共に、前記シャッタ手段を開放させて撮影光束を前記撮像手段に導き、該撮像手段に結像された被写体像を連続的に取り込むステップと、前記連続的に取り込んだ画像を外部のコントロール装置に転送するステップとを備えたことを特徴とする。
【手続補正６】
【補正対象書類名】明細書
【補正対象項目名】００６８
【補正方法】削除
【補正の内容】
【手続補正７】
【補正対象書類名】明細書
【補正対象項目名】００６９
【補正方法】削除
【補正の内容】
【手続補正８】
【補正対象書類名】明細書
【補正対象項目名】００７０
【補正方法】削除
【補正の内容】
【手続補正９】
【補正対象書類名】明細書
【補正対象項目名】００７１
【補正方法】削除
【補正の内容】
【手続補正１０】
【補正対象書類名】明細書
【補正対象項目名】００７２
【補正方法】削除
【補正の内容】
【手続補正１１】
【補正対象書類名】明細書
【補正対象項目名】００７３
【補正方法】削除
【補正の内容】
【手続補正１２】
【補正対象書類名】明細書
【補正対象項目名】００７４
【補正方法】削除
【補正の内容】
【手続補正１３】
【補正対象書類名】明細書
【補正対象項目名】００７５
【補正方法】削除
【補正の内容】
【手続補正１４】
【補正対象書類名】明細書
【補正対象項目名】００７６
【補正方法】削除
【補正の内容】
【手続補正１５】
【補正対象書類名】明細書
【補正対象項目名】００７７
【補正方法】削除
【補正の内容】